(57)【要約】      （修正有）【課題】日常的に洗髪を行なうことができない場合であっても、毛髪を除菌し、清潔に保つことができる毛髪除菌具を提供する。【解決手段】毛髪除菌具１０は、基台１１に多数の櫛歯１２が形成された２枚の櫛１３が互いに前記基台側を支点に回動可能且つ重合可能に設けられ、各櫛１３の間の櫛歯１２の根元部分に除菌効果を有する柔軟材１４を保持可能な保持部が形成されていることを特徴とする。【選択図】図１
0003153972.tif 000002
【実用新案登録請求の範囲】
【請求項１】
基台に多数の櫛歯が形成された２枚の櫛が互いに前記基台側を支点に回動可能且つ重合可能に設けられ、前記各櫛の間の前記櫛歯の根元部分に除菌効果を有する柔軟材を保持可能な保持部が形成されて構成されていることを特徴とする毛髪除菌具。
【請求項２】
前記保持部は、前記各櫛の内面の互いに対向する部分にそれぞれ突設され、前記各櫛の重合に伴って重合するように形成されている請求項１に記載の毛髪除菌具。
【請求項３】
基台に多数のブラシ毛が植設されたブラシを備え、前記基台のブラシ毛の植毛面に溝部が形成され、該溝部に除菌効果を有する柔軟材が保持可能なように構成されていることを特徴とする毛髪除菌具。
【請求項４】
前記溝部には所定間隔で係止孔が形成され、該係止孔に前記柔軟材が固定されるようになっている請求項３に記載の毛髪除菌具。
【考案の詳細な説明】
【技術分野】
【０００１】
本考案は、櫛やブラシで毛髪を梳くことにより毛髪を除菌することのできる毛髪除菌具に関するものである。
【背景技術】
【０００２】
毛髪の汚れを落とすため、日常的に洗髪が行なわれており、従来、洗髪は浴室や洗面台において湯や水を使用して行なわれる。
【考案の概要】
【考案が解決しようとする課題】
【０００３】
しかしながら、上記したように、洗髪を行なうには湯や水が必要なため、災害時や断水時には日常的に洗髪を行なうことができないといった問題があった。
【０００４】
また、洗髪をするにはある程度の体力を必要とし、高齢者や要介護者或いは髪の長い子供などは自分自身で洗髪を行なうことができないため、洗髪の頻度が減少し、毛髪を清潔に保つことが難しいといった問題もあった。
【０００５】
本考案は、上記した課題を解決すべくなされたものであり、日常的に洗髪を行なうことができない場合であっても、毛髪を除菌し、清潔に保つことのできる毛髪除菌具を提供することを目的とするものである。
【課題を解決するための手段】
【０００６】
上記した目的を達成するため、本考案に係る毛髪除菌具は、基台に多数の櫛歯が形成された２枚の櫛が互いに前記基台側を支点に回動可能且つ重合可能に設けられ、前記各櫛の間の前記櫛歯の根元部分に除菌効果を有する柔軟材を保持可能な保持部が形成されて構成されていることを特徴とする。
【０００７】
そして、本考案に係る毛髪除菌具において、前記保持部は、前記各櫛の内面の互いに対向する部分にそれぞれ突設され、前記各櫛の重合に伴って重合するように形成されていてもよい。
【０００８】
また、本考案に係る毛髪除菌具は、基台に多数のブラシ毛が植設されたブラシを備え、前記基台のブラシ毛の植毛面に溝部が形成され、該溝部に除菌効果を有する柔軟材が保持可能なように構成されていることを特徴とする。
【０００９】
本考案に係る毛髪除菌具において、前記溝部には所定間隔で係止孔が形成され、該係止孔に前記柔軟材が固定されるようになっていてもよい。
【考案の効果】
【００１０】
本考案によれば、日常的に洗髪を行なうことができない場合であっても、毛髪を除菌し、清潔に保つことができる等、種々の優れた効果を得ることができる。
【図面の簡単な説明】
【００１１】
【図１】本考案の第１の実施の形態に係る毛髪除菌具を示す斜視図である。
【図２】本考案の第１の実施の形態に係る毛髪除菌具を示す側面図である。
【図３】本考案の第１の実施の形態に係る毛髪除菌具を開いた状態を示す側面図である。
【図４】本考案の第２の実施の形態に係る毛髪除菌具を示す平面図である。
【図５】本考案の第２の実施の形態に係る毛髪除菌具を示す側面図である。
【図６】本考案の第２の実施の形態に係る毛髪除菌具の変形例を示す平面図である。
【図７】本考案の第２の実施の形態に係る毛髪除菌具の別の変形例を示す平面図である。
【図８】本考案の第２の実施の形態に係る毛髪除菌具の別の変形例を示す側面図である。
【考案を実施するための形態】
【００１２】
以下、図面を参照しつつ、本考案の実施の形態について説明する。
【００１３】
先ず、図１〜図３を参照しつつ、本考案の第１の実施の形態に係る毛髪除菌具について説明する。ここで、図１は本考案の第１の実施の形態に係る毛髪除菌具を示す斜視図、図２は同毛髪除菌具を示す側面図、図３は同毛髪除菌具を開いた状態を示す斜視図である。
【００１４】
本実施の形態に係る毛髪除菌具１０は、基台１１に多数の櫛歯１２が一体に形成された２枚の櫛１３，１３を備えている。各櫛１３，１３は互いに基台側を支点に回動可能且つ重合可能に設けられており、各櫛１３，１３の間の櫛歯１２，１２の根元部分には、除菌効果を有する柔軟材１４を保持可能な保持部１５，１５が形成されている。そして、保持部１５，１５は、各櫛１３，１３の内面の互いに対向する部分にそれぞれ突設され、各櫛１３，１３の重合に伴って重合するように形成されている。なお、柔軟材１４としては、アルコールや保湿液を吸収した紙製タオルや不織布や、市販の使い捨てウェットティッシュ等を使用することができる。
【００１５】
上記した構成を備えた毛髪除菌具１０を使用する場合、先ず、図３に示すように基台側を支点に各櫛１３，１３を離間方向に回動させて開いた状態で、保持部１５に柔軟材１４を保持させる。そして、図２に示すように、基台側を支点に各櫛１３，１３を近接方向に回動させて重合させる。これにより、柔軟材１４が各櫛歯１２，１２の根元部分に挟持されるため、使用中に柔軟材１４が保持部１５から脱落するのを防止することができる。
【００１６】
このように柔軟材１４を保持部１５に保持させた状態で、毛髪除菌具１０の櫛歯１２，１２で毛髪を梳くと、毛髪の汚れや雑菌等が柔軟材１４に付着し、毛髪が清潔に保たれる共に、毛髪に適度の湿り気を与えることができる。そして、使用後は、基台側を支点に各櫛１３，１３を離間方向に回動させて開き、柔軟材１４を取り除く。
【００１７】
次に、図４及び図５を参照しつつ、本考案の第２の実施の形態に係る毛髪除菌具について説明する。ここで、図４は本考案の第２の実施の形態に係る毛髪除菌具を示す平面図、図５は同毛髪除菌具を示す側面図である。
【００１８】
本実施の形態に係る毛髪除菌具２０は、円形の基台２１に多数のブラシ毛２２が植設されたブラシ２３を備えており、ブラシ２３には把手２４が基台２１と一体に形成されている。基台２１のブラシ毛２２の植毛面２５には渦巻状に溝部２６が形成されており、この溝部２６に除菌効果を有する柔軟材２７が保持可能となっている。そして、溝部２５には所定間隔で係止孔２８が穿設されており、係止孔２８に柔軟材２７を通すことにより柔軟材２７が溝部２６に固定されるようになっている。なお、柔軟材２７としては、上記した第１の実施の形態の場合と同様のものを使用することができる。
【００１９】
上記した構成を備えた毛髪除菌具２０を使用する場合、溝部２６に柔軟材２７を嵌設すると共に係止孔２８に柔軟材２７を通す。これにより、柔軟材２７が係止孔２８に固定されるため、使用中に柔軟材２７が溝部２６から脱落するのを防止することができる。
【００２０】
このように柔軟材２７を溝部２６に保持させた状態で、毛髪除菌具２０のブラシ毛２２で毛髪を梳くと、毛髪の汚れや雑菌等が柔軟材２７に付着し、毛髪が清潔に保たれる共に、毛髪に適度の湿り気を与えることができる。そして、使用後は、溝部２６から柔軟材２７を取り除く。
【００２１】
なお、上記した第２の実施の形態に係る毛髪除菌具２０は、ブラシの基台や溝部の形状を上記したものに限定する趣旨ではなく、例えば、図６に示すように菱形の基台３１に十字状の溝部３２が形成されたブラシ３０や、図７及び図８に示すように三角形状の基台４１に三角形状の溝部４２が形成された把手のないブラシ４０を使用してもよく、各種変形が可能である。
【００２２】
このように上記した実施の形態に係る毛髪除菌具１０，２０は、湯や水がなくても毛髪を清潔に保つことができるため、災害時や断水時にも使用可能である。
【００２３】
また、あまり体力を使わずに簡単に使用することができるため、高齢者や要介護者或いは髪の長い子供などでも自分自身で毛髪を清潔に保つことができるようになる。
【符号の説明】
【００２４】
１０          毛髪除菌具
１１          基台
１２          櫛歯
１３          櫛
１４          柔軟材
１５          保持部
２０          毛髪除菌具
２１          基台
２２          ブラシ毛
２３          ブラシ
２５          植毛面
２６          溝部
２７          柔軟材
２８          係止孔
【図１】
0003153972.tif 000003
【図２】
0003153972.tif 000004
【図３】
0003153972.tif 000005
【図４】
0003153972.tif 000006
【図５】
0003153972.tif 000007
【図６】
0003153972.tif 000008
【図７】
0003153972.tif 000009
【図８】
0003153972.tif 000010